(57)【特許請求の範囲】
【請求項１】
吊下げ杆の上部に開閉操作自在なフック機構を設け、吊下げ杆の中間部に設けた基台の周方向複数箇所には、複数本のハンガーアームを吊下げ杆を中心に放射状に倒伏させた吊下げ姿勢と起立させた格納姿勢とに揺動切替え自在に枢着するとともに、吊下げ杆の下端に形成したグリッブ部には、フック機構に連係された開閉操作用のキャッチレバーが設けられているパラソルハンガーであって、
複数本のハンガーアームを格納姿勢で係合保持する係合状態とハンガーアームの倒伏を許容する係合解除状態とに切替え自在な係合手段を設け、この係合手段を係合解除状態に切替え操作するアームレバーが、前記グリッブ部及びキャッチレバーを把持した手指で操作可能なように、キャッチレバーの一部に重合配置されているパラソルハンガー。
【請求項２】
前記アームレバーを介してキャッチレバーを操作する同時操作形態と、キャッチレバーを単独で操作する単独操作形態とに選択自在に構成されている請求項１記載のパラソルハンガー。
【請求項３】
前記アームレバーとキャッチレバーとが、吊下げ杆に設けた共通の回動支持軸に揺動操作自在に支承されている請求項１又は２記載のパラソルハンガー。
【請求項４】
前記係合手段が、各ハンガーアームに形成された被係合部と、格納姿勢にある全てのハンガーアームの被係合部に対して上下方向から係合可能な係合部を備え、かつ、吊下げ杆に対して一定範囲内で摺動自在に外嵌保持された係止体と、この係止体とアームレバーとを連係する連係機構とから構成されている請求項１〜３のいずれか１項に記載のパラソルハンガー。
【請求項５】
前記各ハンガーアームの少なくとも基端側には、該ハンガーアームに掛止された洗濯物を弾性力で挾持する挾持体が一体形成されているとともに、前記被係合部が、少なくとも前記挾持体の一部をもって形成されている請求項１〜４のいずれか１項に記載のパラソルハンガー。
【請求項６】
前記フック機構が、吊下げ杆の上端に一体形成された固定フックと、該固定フックの開口を開閉する状態で固定フックの基部側に枢着された可動フックと、可動フックを閉じ側に揺動付勢する弾性付勢体とから構成されているとともに、前記可動フックとキャッチレバーとを連係する連係機構を介して、弾性付勢体の弾性復元力で係合手段を係合状態に付勢するように構成されている請求項１〜５のいずれか１項に記載のパラソルハンガー。
【請求項７】
前記フック機構には、フック開口と向きが逆になる補助フックが、フック本体部に対して格納自在に配備されている請求項１〜６のいずれか１項に記載のパラソルハンガー。
【請求項８】
前記ハンガーアームが、基台側の固定アーム部と、この固定アーム部に対して延出方向に伸縮自在な伸縮アーム部とから構成されている請求項１〜７のいずれか１項に記載のパラソルハンガー。
【請求項９】
前記ハンガーアームには、延出方向に沿って嵌合レールが形成され、この嵌合レールに対して着脱自在であるとともに、嵌合レールと嵌合状態で摺動可能なレール受けを有する洗濯はさみが備えられている請求項１〜８のいずれか１項に記載のパラソルハンガー。
【発明の詳細な説明】
【０００１】
【発明の属する技術分野】
本発明は、複数本のハンガーアームを吊下げ杆を中心に放射状に倒伏させた吊下げ姿勢と、複数本のハンガーアームを吊下げ杆を中心に起立させた格納姿勢とに切替え操作することができるパラソルハンガーに関する。
【０００２】
【従来の技術】
この種のパラソルハンガーは、タオルや下着等の洗濯物を干すのに、一般家庭等で多く用いられている。
従来、この種のパラソルハンガーＡＡとしては、実開平６―３８７号に開示されたものが存在し、このものは図７に示すように、吊下げ杆１００の上部に開閉自在な開閉フック２００が設けられ、吊下げ杆１００の中間部に設けたアーム支持台３００の下部に配備されたグリップ部５００に配備された開閉レバー６００を操作することによって、開閉フック２００を閉じ状態から開き状態に変更して物干し竿に吊下げることができるとともに、アーム支持台３００を吊下げ杆に沿って下方に移動させることによって、起立姿勢で一纏まりになっている多数のハンガーアーム４００の拘束を解除して、多数のハンガーアーム４００を物干し姿勢である吊下げ姿勢にすることが可能であり、反対に、アーム支持台３００を吊下げ杆１００に沿って上方に移動させることによって、吊下げ姿勢の多数のハンガーアーム４００を起立姿勢のまま拘束することが可能な構成のものである。
【０００３】
【発明が解決しようとする課題】
そして、このような構成のパラソルハンガーＡＡを、ハンガーアーム４００が起立姿勢となった折り畳み状態から、物干し竿に掛けて洗濯物を干すことができる状態にするには、まず、開閉レバー６００を操作することによって物干し竿に開閉フック２００を掛けた後、アーム支持台３００を下げてハンガーアーム４００を起立姿勢から吊下げ姿勢に開き状態にするか、又は、始めにアーム支持台３００を下げてハンガーアーム４００を起立姿勢から吊下げ姿勢に開き状態にした後、開閉レバー６００を操作することによって物干し竿に開閉フック２００を掛けることが行われている。
そのため、洗濯物を干せる状態にするには、開閉フック２００を物干し竿に掛けるレバー操作と、ハンガーアーム４００を起立姿勢から吊下げ姿勢、又はこれとは逆に吊下げ姿勢から起立姿勢にするアーム支持台３００の移動操作が必要であり、しかもそれらは全く動作が異なる手指操作であるため、取扱いにくく、使い勝手が悪い問題がある。
【０００４】
本発明は、上述の実状に鑑みて為されたものであって、その主たる課題は、操作が簡単で使い勝手の良いパラソルハンガーを提供する点にある。
【０００５】
【課題を解決するための手段】
本発明の請求項１によるパラソルハンガーの特徴構成は、吊下げ杆の上部に開
閉操作自在なフック機構を設け、吊下げ杆の中間部に設けた基台の周方向複数箇所には、複数本のハンガーアームを吊下げ杆を中心に放射状に倒伏させた吊下げ姿勢と起立させた格納姿勢とに揺動切替え自在に枢着するとともに、吊下げ杆の下端に形成したグリッブ部には、フック機構に連係された開閉操作用のキャッチレバーが設けられているパラソルハンガーであって、
複数本のハンガーアームを格納姿勢で係合保持する係合状態とハンガーアームの倒伏を許容する係合解除状態とに切替え自在な係合手段を設け、この係合手段を係合解除状態に切替え操作するアームレバーが、前記グリッブ部及びキャッチレバーを把持した手指で操作可能なように、キャッチレバーの一部に重合配置されている点にある。
【０００６】
上記特徴構成によれば、キャッチレバーによるフック機構の開閉操作と、アームレバーによるハンガーアームの格納及び倒伏に係わる切替え操作とを、グリップを把持した手指で行うことができる。
そのため、例えば、洗濯竿にフック機構を介して吊り下げると同時に、格納姿勢にあるハンガーアームを吊下げ姿勢に簡単に切替えて物干し可能な状態に形成することができるとともに、反対に、洗濯物は取外された状態で洗濯竿に吊下げられて吊下げ姿勢にあるハンガーアームを、フック機構を開いて洗濯竿から外すことも、アームレバーとキャッチレバーとの操作状態のまま、全体を逆さまにしてハンガーアームを格納姿勢に変更して、両レバーの操作を解除することによって、吊下げ姿勢にあるハンガーアームを格納姿勢に切替えたりすることができる。また、グリップ部のキャッチレバーによって、吊下げ杆の上部のフック機構を開閉操作することができるので、高所に取付けられた洗濯竿等に対しても簡単に吊下げることができる。
従って、従来のパラソルハンガーにおいては、フック機構の開閉操作と、ハンガーアームの格納及び倒伏操作とが別々の機構や別々の操作によって行われていたものに比べて、グリップを把持した手指で両機構を操作することができるので、作業性、取扱い性が良く使い勝手がよい。
【０００７】
本発明の請求項２によるパラソルハンガーの特徴構成は、前記アームレバーを介してキャッチレバーを操作する同時操作形態と、キャッチレバーを単独で操作する単独操作形態とに選択自在に構成されている点にある。
【０００８】
上記特徴構成によれば、アームレバーを介してキャッチレバーを同時操作することによって、例えば、洗濯竿にフック機構を介して吊り下げると同時に、格納姿勢にあるハンガーアームを吊下げ姿勢に簡単に切替えて物干し可能な状態にすることができるとともに、キャッチレバーを単独操作することによって、フック機構のみを開閉可能にすることができるので、例えば、ハンガーアームに洗濯物を干した状態のまま、別の場所への掛けかえが簡単に行うことができる。
【０００９】
本発明の請求項３によるパラソルハンガーの特徴構成は、前記アームレバーとキャッチレバーとが、吊下げ杆に設けた共通の回動支持軸に揺動操作自在に支承されている点にある。
【００１０】
上記特徴構成によれば、グリップを把持した手指でアームレバーとキャッチレバーとを、同時操作形態と、キャッチレバーを単独で操作する単独操作形態との何れの操作形態であっても、各レバーの回動状態がほぼ同じとなるので、手指操作をスムーズに行うことができる。
【００１１】
本発明の請求項４によるパラソルハンガーの特徴構成は、前記係合手段が、各ハンガーアームに形成された被係合部と、格納姿勢にある全てのハンガーアームの被係合部に対して上下方向から係合可能な係合部を備え、かつ、吊下げ杆に対して一定範囲内で摺動自在に外嵌保持された係止体と、この係止体とアームレバーとを連係する連係機構とから構成されている点にある。
【００１２】
上記特徴構成によれば、ハンガーアームと、アームレバーの基本動作に連動して、ハンガーアームに形成された被係合部と係合部との係合を可能にする構成を用いているので、構造が簡素でトラブルを生じにくいため、信頼性の高い商品を形成することができる。
【００１３】
本発明の請求項５によるパラソルハンガーの特徴構成は、前記各ハンガーアームの少なくとも基端側には、該ハンガーアームに掛止された洗濯物を弾性力で挾持する挾持体が一体形成されているとともに、前記被係合部が、少なくとも前記挾持体の一部をもって形成されている点にある。
【００１４】
上記特徴構成によれば、ハンガーアームの挾持体を被係合部として部材が兼用化されているので、部品点数の削減化、構成の簡素化を図ることができる。
【００１５】
本発明の請求項６によるパラソルハンガーの特徴構成は、前記フック機構が、吊下げ杆の上端に一体形成された固定フックと、該固定フックの開口を開閉する状態で固定フックの基部側に枢着された可動フックと、可動フックを閉じ側に揺動付勢する弾性付勢体とから構成されているとともに、前記可動フックとキャッチレバーとを連係する連係機構を介して、弾性付勢体の弾性復元力で係合手段を係合状態に付勢するように構成されている点にある。
【００１６】
上記特徴構成によれば、固定フックに対して可動フックを閉じ側に揺動付勢する弾性付勢体の弾性力を、係合手段を係合状態に付勢する弾性力として共用する構成であるので、より部品点数の削減化、構成の簡素化を図ることができる。
【００１７】
本発明の請求項７によるパラソルハンガーの特徴構成は、前記フック機構には、フック開口と向きが逆になる補助フックが、フック本体部に対して格納自在に配備されている点にある。
【００１８】
上記特徴構成によれば、フック機構は固定フックに対して可動フックを開閉操作して開口を開閉可能にしているので、物干し竿などの被取付け体への取付け状態では、開口が閉じられる構成になっているので、例えば、雨、夜露、凍結を避けるために室内の鴨居やなげし等の被取付け体を利用して干す場合には、開閉構成のフック機構は不向きであるので、このような被取付け体に対しては、補助フックを用いて引掛けることができるため、フック機構に加えて補助フックがあることによって幅広い被取付け体に対して引掛け使用することができ便利である。
【００１９】
本発明の請求項８によるパラソルハンガーの特徴構成は、前記ハンガーアームが、基台側の固定アーム部と、この固定アーム部に対して延出方向に伸縮自在な伸縮アーム部とから構成されている点にある。
【００２０】
上記特徴構成によれば、洗濯物の大きさや形状に応じてハンガーアームを適宜に伸縮使用して、最良な洗濯物干しを可能にすることができるので、干せる洗濯物の種類を多様化することができる。
【００２１】
本発明の請求項９によるパラソルハンガーの特徴構成は、前記ハンガーアームには、延出方向に沿って嵌合レールが形成され、この嵌合レールに対して着脱自在であるとともに、嵌合レールと嵌合状態で摺動可能なレール受けを有する洗濯はさみが備えられている点にある。
【００２２】
上記特徴構成によれば、必要に応じて必要数の洗濯はさみをハンガーアームに装着して使用することによって、洗濯物の干し方の多様化を図ることができ、干せる洗濯物内容を多様化させることができる利点を有する。
【００２３】
【発明の実施の形態】
〔実施形態〕
以下、本発明のパラソルハンガーＡの実施形態を図面に基づいて説明する。
このパラソルハンガーＡは、図１〜図４に示すように、吊下げ杆１の上部に開閉操作自在なフック機構２を設け、吊下げ杆１の中間部に設けた基台３の周方向複数箇所、例えば２０箇所には、２０本のハンガーアーム４…を吊下げ杆１を中心に放射状に倒伏させた吊下げ姿勢と起立させた格納姿勢とに揺動切替え自在に枢着するとともに、吊下げ杆１の下端に形成したグリッブ部５には、フック機構２に第１連係機構( 連係機構) ６を介して連係された開閉操作用のキャッチレバー７が設けられているとともに、２０本のハンガーアーム４…を格納姿勢で係合保持する係合状態とハンガーアーム４…の倒伏を許容する係合解除状態とに切替え自在な係合手段８を設け、この係合手段８を係合解除状態に切替え操作するアームレバー９を、前記グリッブ部５及びキャッチレバー７を把持した手指で操作可能な部位に設けて構成されている。
【００２４】
フック機構２は、吊下げ杆１の上端に一体形成された固定フック２Ａと、該固定フック２Ａの開口２Ｃを開閉する状態で固定フック２Ａの基部側に支持軸Ｐ１を介して枢着された可動フック２Ｂと、可動フック２Ｂを閉じ側に揺動付勢する弾性付勢体であるコイルスプリング１０とから構成されている。
【００２５】
フック機構２の可動フック２Ｂには、固定フック２Ａに対して手による把持操作によって指を掛けて、可動フック２Ｂの揺動して開口２Ｃを開閉可能にする手動握り部２Ｄが、可動フック２Ｂに一体形成されている。
【００２６】
また、フック機構２には、開口２Ｃと向きが逆になる補助フック２Ｅが、固定フック２Ａに対して横軸Ｐ２周りで上方に起こした起立状態と、下方に下げた格納状態とに変更自在に付設されている。
【００２７】
前記吊下げ杆１には、フック機構２との境界部分に環状の鍔１Ａが一体形成され、起立姿勢のハンガーアーム４…の先端部が当接して、フック機構２と干渉しないようになっている。
【００２８】
前記基台３は、図２に示すように、合わせ型状の下ケース３Ａと上ケース３Ｂとを上下方向から嵌合して構成されており、上ケース３Ｂには、各ハンガーアーム４の起立姿勢と吊下げ姿勢とに亘ってハンガーアーム４の基部が抜け止め状態で案内されるスリット３ａが周方向に沿ってハンガーアーム４に対応して形成され、下ケース３Ａには、ハンガーアーム４の起立姿勢と吊下げ姿勢とに亘ってハンガーアーム４の基端が案内支持する円弧ガイド３ｂが形成されている。
【００２９】
各ハンガーアーム４の基部には、他の部分よりも少し幅広で筒状をなす軸受け部４Ａが一体形成され、この軸受け部分４Ｃが基台３のスリット３ａに対応して収容されて、軸受け部４Ｃを中心にしてハンガーアーム４を、基台３に対してほぼ水平状態となる倒伏姿勢と、基台３に対してほぼ垂直姿勢となる起立姿勢とに変更自在に構成されている。
【００３０】
基台３の中央上面部には、上側吊下げ杆１Ｂの下端部分が挿入保持される杆支持凹部３Ｃが形成されているとともに、基３台の中央下面部には、下部がグリップ部５になっている下側吊下げ杆１Ｃが配備され、これら上側吊下げ杆１Ｂと下側吊下げ杆１Ｃとから吊下げ杆１が構成されている。グリップ部５には、表面に滑り止めの凹凸が形成されている。また、グリップ部５の下端には、Ｕ字状の閉じフック１１が設けられており、例えば、この実施形態と同様な別のパラソルハンガー４のフック機構２を掛け止めて、二つ以上のパラソルハンガーＡ、Ａを上下に連接することができるようになっている。
【００３１】
前記アームレバー９とキャッチレバー７とは、下側吊下げ杆１Ｂに設けた共通の回動支持軸Ｐ３に夫々二又状の基端部９ａ，９ａ，７ａ，７ａを揺動操作自在に支承されているとともに、キャッチレバー７の先端指掛け部分７ｃの上側部分に上から重なるようにアームレバー９の先端指掛け部分９ｃが重合配置されていて、アームレバー９を介してキャッチレバー７を操作する同時操作形態と、キャッチレバー９を単独で操作する単独操作形態とに選択自在に構成されている。キャッチレバー７の先端指掛け部分７ｃ及びアームレバー９の先端指掛け部分９ｃには、手指を掛けた場合の滑り止め用の凹凸が形成されている。
【００３２】
前記係合手段８は、各ハンガーアーム４に形成された凸状の被係合部１２ａと、格納姿勢にあるハンガーアーム４の被係合部１２ａに対して上下方向から係合可能な凹状の環状溝からなる係合部１３ａを形成するとともに、上側吊下げ杆１Ａに対して一定範囲内で摺動自在に外嵌保持された係止体１３と、この係止体１３とアームレバー９とを連係する第２連係機構（連係機構）１４とから構成されている。
【００３３】
各ハンガーアーム４の先端側と基端側とには、該ハンガーアーム４に掛止された洗濯物を弾性力で挾持する挾持体１２、１２が一体形成されている。この実施形態においては、ハンガーアーム４の基端側の挟持体１２において、ハンガーアーム４の接合部分からＵターン部分に折り曲がる部分に亘る凸状部分をもってハンガーアーム４の被係合部１２ａが形成されている。
また、各挾持体１２には、抜差し方向に沿って対向する挟持部分に、交互に噛合う凹凸部１２ｂが配列形成されている。
【００３４】
前記第１連係機構６は、キャッチレバー７の中間連結部７ｂに下端部が連結され、前記フック機構２の可動フック２Ｂの手動握り部２Ｄに上端が連結されている鋼線ワイヤー１６と、固定フック２Ａに対して可動フック２Ｂを閉じ付勢する弾性付勢体であるコイルスプリング１０とから構成されており、キャッチレバー７を操作することによってフック機構２が開閉可能になる構成になっている。鋼線ワイヤー１６は、吊下げ杆１の空隙や、吊下げ杆１の鍔１Ａに形成した挿通孔を通して、可動フック２Ｂとキャッチレバー７とを連結可能にしている。
【００３５】
この第１連係機構６は、アームレバー９を把持操作していない平時の状態では、固定フック２Ａに対して可動フック２Ｂがコイルスプリング１０の閉じ側の弾性復元力によって、閉じ状態を維持するとともに、コイルスプリング１０の閉じ側の弾性復元力が、係止体１３の係合部１３ａとハンガーアーム４の被係合部１２ａとからなる係合手段８を係合状態に保持するようになっている。
【００３６】
また、アームレバー９を握り操作した場合、下側吊下げ杆１ｂの回動支持軸Ｐ３を中心として、アームレバー９とキャッチレバー７とが一緒に回動し、この回動に連動してのリンク板１５の下動に伴って係止体１３が上側吊下げ杆１Ａに対して下方に摺動するとともに、キャッチレバー７が一緒に操作されることになるので、鋼線ワイヤー１６が引き下げられて固定フック２Ａに対して可動フック２Ｂがコイルスプリング１０の弾性付勢力に抗して開き状態となる。
【００３７】
さらに、キャッチレバー７のみを握り操作した場合、下側吊下げ杆１Ｂの回動支持軸Ｐ３を中心として、キャッチレバー７のみが回動して、鋼線ワイヤー１６が引き下げられて固定フック２Ａに対して可動フック２Ｂがコイルスプリング１０の弾性付勢力に抗して揺動して開口状態となる。この場合、アームレバー９側に対するコイルスプリング１０の弾性付勢力が作用しない状態になるが、各部材間の摩擦等によってアームレバー９が勝手に回動しない設計になっている。
【００３８】
前記第２連係機構１４は、アームレバー９の先端指掛け部分９ｃから基端に向けて延出する中間連結部９ｂに下端部が軸支連結され、上側吊下げ杆１Ａの縦長孔１Ｄを貫通して前記係止体１３に連結された貫通軸１３ｂに上端部が軸支連結されるリンク板１５と、第１連係機構６を介してアームレバー９下から上方に弾性付勢するキャッチレバー７とから構成されており、アームレバー９を操作することによって、係止体１３を吊下げ杆１に対して上下動可能になる構成になっている。リンク板１５は、上部吊下げ杆１Ａの下部に形成された軸空洞部１Ｅに収容配備されている。
【００３９】
各ハンガーアーム４には、図５（イ）、（ロ）に示すように、延出方向に沿って断面形状が倒立Ｔ字状の嵌合レール４Ｃが形成され、この嵌合レール４Ｃに対して着脱自在であるとともに、嵌合レール４Ｃと嵌合状態で摺動可能なアリ溝状のレール受け１７ａを有する洗濯はさみ１７が付属部品として複数が備えられている。
【００４０】
そのため、必要なハンガーアーム４に適宜数のレール受け１７ａ付きの洗濯はさみ１７を装着して、ハンガーアーム４で洗濯物を干すことも、洗濯はさみ１７を使って洗濯物を干すこともできるパラソルハンガーＡを形成することができる。
【００４１】
この実施形態の場合、ハンガーアーム４の先端部に位置して、洗濯はさみ１７のレール受け１７ａが挿入嵌合される嵌合レール４Ｃの始端部分が形成され、図５（イ）に示すように、この始端部分は、嵌合レール４Ｃに嵌合された洗濯はさみ１７のレール受け１７ａにとっては抜け止め抵抗となって、嵌合レール４Ｃから洗濯はさみ１７が容易には脱落することがように上方に湾曲するレール形態に構成されている。このような抜け止め構成以外には、嵌合レール４Ｃの始端部分の肉厚さを厚く形成して、レール受け１７ａとの着脱抵抗を大きく形成して、嵌合レール４Ｃから洗濯はさみ１７が容易には脱落することがないように構成してもよい。
【００４２】
また、各ハンガーアーム４の先端部には、横倒しＵ字状の小フック４Ｂが一体形成されており、例えば、市販されている紐付きの洗濯はさみ等の紐部分を引掛けることができるようになっている。
【００４３】
上記構成のパラソルハンガーＡにおいて、前記鋼線ワイヤー１６とコイルスプリング１０を除いた各構成部材は、ポリプロピレン（ＰＰ）等の合成樹脂から成形されている。
【００４４】
このような構成のパラソルハンガーＡであれば、図３に示す格納姿勢の状態でキャッチレバー７とアームレバー９とを一緒に握り操作した場合、フック機構２を開き操作することができるとともに、起立姿勢のハンガーアーム４…の被係合部１２ａと係止体１３の係合部１３ａとの係合状態を解除して、格納姿勢にあるハンガーアーム４…を吊下げ姿勢に簡単に切替えて物干し可能な状態に形成することができる。
【００４５】
また、吊下げ姿勢の状態では、アームレバー９とキャッチレバー７とを一緒の握り操作状態のまま、パラソルハンガーＡ全体を逆さまにして、自重によってハンガーアームＡを格納姿勢に強制的に切替えて、各ハンガーアーム４の被係合部１２ａと係止体１３の係合部１３ａとを係合可能状態にした後、両レバー７，９の握り操作を解除することによって、全ハンガーアーム４…の被係合部１２ａが係止体１３の係合部１３ａと係合状態になって、吊下げ姿勢にあるハンガーアーム４…を格納姿勢に切替えることができる。
【００４６】
さらに、図４に示すように、複数のハンガーアーム４…が起立姿勢に係合保持された状態、又は、ハンガーアーム４…が吊下げ姿勢の状態で、キャッチレバー７のみを握り操作した場合、フック機構２のみを開閉自在に操作することができる。
【００４７】
〔その他の実施形態〕
１）  上記実施形態では、ハンガーアーム４の本数が２０本のものについて説明したが、２０本より少ない本数であっても、反対に多い本数であってもよい。
【００４８】
２）  上記実施形態のハンガーアーム４とは異なり、図６（イ）、（ロ）に示すように、基台側の固定アーム部４１と、この固定アーム部４１に対して延出方向に伸縮自在な伸縮アーム部４２とからハンガーアーム４を構成し、必要に応じてハンガーアーム４の長さを変更して使用することができるものであってもよい。図６に示すものは、普通のハンガーアーム長さの固定アーム部４１に対して、伸長することができる伸縮アーム部４２を設けた構成であるが、長さが普通の長さより短い固定アーム部４１に対して、伸長することができる伸縮アーム部４２を設けた構成であってもよい。
【００４９】
３）上記実施形態では、ハンガーアーム４に付属の洗濯はさみ１７を、ハンガーアーム４自体に設けた嵌合レール４Ｃと、洗濯はさみ１７に設けたレール受け１７ａとを介して、ハンガーアーム４に対して洗濯はさみ１７を着脱自在に構成したものついて説明したが、本発明はこれに限らず、洗濯はさみ１７の着脱構成のない単なる棒状のハンガーアーム４構成のものであってもよい。
【００５０】
４）上記実施形態では、ハンガーアーム４の嵌合レール４Ｃに、レール受け１７ａ付きの洗濯はさみ１７を付属して、必要に応じて装着して使用することができる商品形態のものについて説明したが、本発明はこれに限らず、始めから、例えば、各ハンガーアーム、又は。所定本数のハンガーアームに、嵌合レール４Ｃを介してレール受け１７ａ付きの洗濯はさみ１７を、少なくとも一つを設けられている商品形態であってもよい。
【図面の簡単な説明】
【図１】本発明の実施形態のパラソルハンガーを示す簡略斜視図
【図２】キャッチレバー及びアームレバーが操作されていない状態を示す縦断面図
【図３】キャッチレバー及びアームレバーが同時に操作されている状態を示す縦断面図
【図４】キャッチレバーのみが操作されている状態を示す縦断面図
【図５】アームハンガーにレール受け付きの洗濯はさみが装着された状態を示す説明図
（イ）は、両者の装着関係を側面視状態で示す説明図
（ロ）は、両者の装着関係を一部断面にて示す説明図
【図６】（イ）は、ハンガーアームの長手方向を示す断面図
（ロ）は、ハンガーアームを輪切りにて示す断面図
【図７】従来のハンガーアームの構造を示す縦断権図
【符号の説明】
Ａ          パラソルハンガー
１          吊下げ杆
２          フック機構
２Ａ        固定フック
２Ｂ        可動フック
２Ｃ        開口
２Ｅ        補助フック
３          基台
４          ハンガーアーム
４Ｃ        嵌合レール
５          グリップ部
６          連係機構（第１連係機構）
７          キャッチレバー
８          係合手段
９          アームレバー
１０        弾性付勢体（コイルスプリング）
１２        挟持体
１２ａ      被係合部
１３        係止体
１３ａ      係合部
１４        連係機構（第２連係機構）
１７        洗濯はさみ
１７ａ        レール受け
４１          固定アーム部
４２          伸縮アーム部
【図１】
0004567922.tif 000002
【図２】
0004567922.tif 000003
【図３】
0004567922.tif 000004
【図４】
0004567922.tif 000005
【図５】
0004567922.tif 000006
【図６】
0004567922.tif 000007
【図７】
0004567922.tif 000008